(57)【要約】【課題】発報があった場合監視センターからデータのダウンロードを必要とせず巡回用の記録媒体を用いてその警備を解除できるようにする。【解決手段】カード７から情報を読み取り、該読み取られた情報に基づいて機械警備システムの警備解除を許可するか否かを判別するようにした機械警備装置１において、巡回用のカードと非巡回用のカードとを用意しておき、カード７からの情報読み取りに際し、カード７が巡回用または非巡回用の何れであるかを判別し、カード７が巡回用のカードである場合には、機械警備装置１が警備開始中であって且つ発報履歴があるときにのみ、当該カード７から読み取られた情報に基づき警備解除が可能となるようにした。【選択図】        図４
2007279997.tif 000002
【特許請求の範囲】
【請求項１】
記録媒体から情報を読み取り、該読み取られた情報を考慮して機械警備システムの警備解除を許可するか否かを判別するようにした機械警備方法であって、
巡回用の記録媒体と非巡回用の記録媒体とを用意しておき、
記録媒体からの情報読み取りに際し、当該記録媒体が巡回用または非巡回用の何れであるかを判別し、
当該記録媒体が巡回用の記録媒体である場合には、前記機械警備システムが警備開始中であって且つ発報履歴があるときにのみ、当該記録媒体から読み取られた情報を考慮して警備解除が可能であるようにしたことを特徴とする機械警備方法。
【請求項２】
巡回用の記録媒体または非巡回用の記録媒体に記録されている情報を読み取ための読取装置と、
該読取装置によって該読み取られた情報に基づき当該記録媒体の正当性を判別する第１の判別部と、
該読取装置によって該読み取られた情報に基づき当該記録媒体が巡回用の記録媒体または非巡回用の記録媒体の何れであるかを判別する第２の判別部と、
前記機械警備システムが警備開始中であって且つ発報履歴があるか否かを判別するための第３の判別部と、
前記第１および第２の判別部に応答し当該記録媒体が正当性を有しており且つ非巡回用の記録媒体である場合に前記機械警備システムの警備を解除する第１の警備解除部と、
前記第１乃至第３の判別部に応答し当該記録媒体が正当性を有しており且つ巡回用の記録媒体である場合において前記機械警備システムが警備開始中であって且つ発報履歴があるときに前記機械警備システムの警備を解除する第２の警備解除部と
を備えて成ることを特徴とする機械警備装置。
【発明の詳細な説明】
【技術分野】
【０００１】
本発明は、機械警備方法及び装置に関するものである。
【背景技術】
【０００２】
所要の警備区域に侵入を検知するためのセンサ等を適宜に配設し、各センサからの出力に応答して所要の警備情報を監視センタに送るようにした機械警備システムが公知である。この種の従来の機械警備システムにおいては、所定の警備区域に出入りできる人物を限定、又は管理する目的で、その警備区域への出入りが許可されている人物に対して予めカードを交付しておく一方、警備区域の出入口にはカード読取装置を設けておき、この警備区域の警備開始、解除を行う場合、交付されたカードをカード読取装置に通してそのカードの正当性を判断している。すなわち、カードがカード読取装置に通された場合、カード読取装置によって読み取られた内容とこの警備区域内に設けられている警備用の制御装置内のメモリに予めストアされている内容とが照合され、その読取内容が所定の内容であると判別された場合にのみこの警備区域の警備開始、解除を行うことができる構成となっている。
【０００３】
そして、警備区域が警備開始状態に切り換えられた後、何者かが侵入する等して、侵入者を検知するための各種のセンサ、例えば窓の開閉を検知するセンサ、ドアの開閉を検知するセンサ、人体から発する赤外線を検出する赤外線センサ等が作動した場合、公衆電話回線又は専用回線を通じて所定の監視センタに警報が送られ、警報を受信した監視センタでは、巡回員を現場に急行させている。
【０００４】
この場合、監視センタでは、現場に向かうことになった巡回員が携帯しているカードの情報を監視センタのコンピュータに登録し、この登録された情報を当該現場に設置してある警備用端末装置にダウンロードすることによりその巡回員の所持するカードを使用して警備解除を可能とする措置がとられる。この結果、現場に到着した巡回員は予め携帯しているカードをカード読取装置に通し、警備の解除を行ってから合鍵を使用して入館し、現場の状況を確かめる等、所定の手順に従って発報に対する処置を行っている。
【発明の開示】
【発明が解決しようとする課題】
【０００５】
しかし、上述した従来の構成によると、監視センターでは、いずれかの警備先において発報がある度に、現場に向かう巡回員が携帯しているカードの情報を手作業で入力し、ダウンードする必要があるため、監視センターの監視員の対応負担が大きいという問題点を有している。また、手作業での入力作業のため、データ入力誤りが発生しやすく、現場に到着した巡回員が警備の解除が行われないまま館内に入ってしまい、これによる誤発報のため、監視センターでの現場の状況把握に混乱を生じさせるという別の問題も有している。
【０００６】
本発明の目的は、従来技術における上述の問題を解決することができる機械警備方法及び装置を提供することにある。
【課題を解決するための手段】
【０００７】
本発明によれば、記録媒体から情報を読み取り、該読み取られた情報を考慮して機械警備システムの警備解除を許可するか否かを判別するようにした機械警備方法であって、巡回用の記録媒体と非巡回用の記録媒体とを用意しておき、記録媒体からの情報読み取りに際し、当該記録媒体が巡回用または非巡回用の何れであるかを判別し、当該記録媒体が巡回用の記録媒体である場合には、前記機械警備システムが警備開始中であって且つ発報履歴があるときにのみ、当該記録媒体から読み取られた情報を考慮して警備解除が可能であるようにしたことを特徴とする機械警備方法が提案される。
【０００８】
本発明によれば、また、巡回用の記録媒体または非巡回用の記録媒体に記録されている情報を読み取るための読取装置と、該読取装置によって該読み取られた情報に基づき当該記録媒体の正当性を判別する第１の判別部と、該読取装置によって該読み取られた情報に基づき当該記録媒体が巡回用の記録媒体または非巡回用の記録媒体の何れであるかを判別する第２の判別部と、前記機械警備システムが警備開始中であって且つ発報履歴があるか否かを判別するための第３の判別部と、前記第１および第２の判別部に応答し当該記録媒体が正当性を有しており且つ非巡回用の記録媒体である場合に前記機械警備システムの警備を解除する第１の警備解除部と、前記第１乃至第３の判別部に応答し当該記録媒体が正当性を有しており且つ巡回用の記録媒体である場合において前記機械警備システムが警備開始中であって且つ発報履歴があるときに前記機械警備システムの警備を解除する第２の警備解除部とを備えて成ることを特徴とする機械警備装置が提案される。
【発明の効果】
【０００９】
本発明によれば、機械警備システムによって警備されている警備区域において発報があった場合、監視センターからの如何なるデータのダウンロードも必要とせず、巡回員は巡回用の記録媒体を用いてその警備を解除することができる。
【発明を実施するための最良の形態】
【００１０】
以下、図面を参照して本発明の実施の形態の一例につき詳細に説明する。
【００１１】
図１は、本発明の実施の形態の一例を示す概略システム図である。１は機械警備装置、２は機械警備装置１によって機械警備される警備対象施設であり、３はその警備対象区域である。
【００１２】
機械警備装置１は、警備対象区域３に適宜に設置された侵入検知用のセンサ４−１、４−２を有しており、センサ４−１、４−２は送信機５に接続されている。図１では、センサを２つ用いた場合を示しているが、侵入検知用のセンサの数は任意の数とすることができる。
【００１３】
送信機５は、また、操作ボックス６にも接続されている。操作ボックス６は、警備対象区域３の外側の適宜の場所に配設されており、警備対象区域３に出入りすることを許可された者が所持している磁気カード７に記録されている内容を読み取る機能を有している。
【００１４】
図２に示すように、操作ボックス６は、液晶表示パネル６１、警備解除ボタン６２、警備開始ボタン６３、磁気カード７の内容を読み取るためのカード読取機６４、スピーカ６５を備えている。
【００１５】
磁気カード７は、警備対象区域３の警備の開始、解除の操作のために使用されるものであり、磁気カード７の内容をカード読取機６４で読み取ると共に、警備解除ボタン６２又は警備開始ボタン６３を押すことにより、これらの操作情報が送信機５に送られる。
【００１６】
図１に戻ると、送信機５は、操作ボックス６における上述の操作により警備開始モードに切り換えられている場合には、センサ４−１、４−２のいずれかの発報に応答して警備信号ＫＳを作成し、公衆回線８を介して警備センタ９のホストコンピュータ１０に送信する公知の構成となっている。
【００１７】
図３に示すように、送信機５内の制御ユニット５１内には、機械警備装置１が現在警備開始／警備解除のいずれのモードであるかのモード情報を記憶しておくモード記憶部５１Ａと、センサが発報した場合にその発報履歴を記憶しておく発報履歴記憶部５１Ｂと、カード読取機６４によって読み取られたカード内容を一時的に格納しておくバッファメモリ５１Ｃとを備えている。符号５１Ｄで示されるのは、機械警備装置１の警備開始、解除を行うことができる正当性を有するとして登録されている登録カードの固有番号を格納しておくためのデータメモリである。
【００１８】
送信機５は、マイクロコンピュータシステムを用いて構成されており、所要の警備制御プログラムに従い、図３に示した各記憶部及びメモリ内の情報を参照して警備対象区域３を機械警備するための動作が実行される。
【００１９】
図４は、上記警備制御プログラムの一部の機能を示すフローチャートである。以下、図４を参照して、機械警備装置１における、警備解除の制御について説明する。警備制御プログラムが起動されると、警備解除のための操作が操作ボックス６において行われるのを待機するモードに入る。そして、ステップ１０１でカード７をカード読取機６４に通して警備解除ボタン６２が押される操作が実行されると、警備解除制御モードの実行が開始される。次のステップ１０２では、送信機５側からの制御により、操作ボックス６から送信機５にカードの読み取りデータと操作内容データ（ボタン操作データ）が送出される。
【００２０】
ステップ１０３では、読み取られたカード７の固有番号データをデータメモリ５１Ｄに格納されている登録カードの固有番号データと照合し、当該カードが登録カードか否かを判断する。登録カードでない場合は、ステップ１０３の判別結果はＮＯとなり、ステップ１０１に戻る。一方、登録カードである場合は、ステップ１０３の判別結果はＹＥＳとなり、ステップ１０４に入る。
【００２１】
ステップ１０４では、当該カードの種別が判別される。機械警備装置１においては、カード７は一般用と巡回用の２種類のカードが用意されている。一般用カードは、警備対象区域３に出入りすることの許可を受けた巡回員以外の者が所持するカードである。一方、巡回用カードは、警備対象区域３より警備信号が発せられた際にその処理のために巡回員等が警備対象区域３に立ち入るために用いられるカードである。巡回用カードは、その使用目的が限定されているカードである。
【００２２】
ステップ１０４では、バッファメモリ５１Ｃ内に格納されているカードの読み取り内容のデータに基づいて、当該カードが巡回用カードであるか否かが判別される。ここでは、カードの種別を示すデータは、カード７に予め記録されている。しかし、ステップ１０３で読み取られたカード７の固有番号データに基づいて、当該カードが巡回用カードであるか否かを判別する構成とすることもできる。巡回用カードでない場合には、ステップ１０５に入り、ここで送信機５の警備解除が実行され、ステップ１０６で操作ボックス６に確認信号が出力される。ステップ１０７では、この確認信号により、操作ボックス６の液晶表示パネル６１に警備を解除した旨の表示が出力される。
【００２３】
一方、ステップ１０４において、当該カードが巡回用カードであると判別されると、この判別結果がＹＥＳとなり、ステップ１０８に入る。ステップ１０８では、発報履歴記憶部５１Ｂの格納データに基づき、警備開始になってから後、発報履歴があるか否かが判別される。警備開始になってから後発報履歴があると判別されると、ステップ１０８の判別結果はＹＥＳとなり、ステップ１０５〜１０７が実行され、警備解除となる。
【００２４】
発報履歴がないと判別されると、ステップ１０８の判別結果はＮＯとなり、ステップ１０９に入って送信機５の警備解除を拒否し、ステップ１１０では液晶表示パネル６１により警備開始の表示を行い、ステップ１０１に戻る。
【００２５】
このように、カード７から情報を読み取り、該読み取られた情報に基づいて機械警備システムの警備解除を許可するか否かを判別するようにした機械警備装置１において、巡回用のカードと非巡回用のカードとを用意しておき、カード７からの情報読み取りに際し、カード７が巡回用または非巡回用の何れであるかを判別し、カード７が巡回用のカードである場合には、機械警備装置１が警備開始中であって且つ発報履歴があるときにのみ、当該カード７から読み取られた情報に基づき警備解除が可能とされている。
【００２６】
機械警備装置１は以上のように構成されているので、巡回員に巡回用カードを持たせておけば、機械警備装置１が警備開始状態でセンサが発報した場合、警備センタ９のホストコンピュータ１０から機械警備装置１の送信機５に対して、警備対象施設２に差し向けた巡回員の所持するカードの情報をいちいちダウンロードすることなしに、巡回員はその所持するカードを用いて警備センタ９の警備を解除することができ、警備解除された警備対象区域３内で所要の巡回作業を行うことができる。
【００２７】
上記実施の形態では、操作ボックス６に警備解除ボタン６２及び警備開始ボタン６３を設けた場合の例について説明したが、警備解除ボタン６２及び警備開始ボタン６３を設けることなく、カード読取機６４で正当性のある登録されたカードの内容を読み取るたびに警備の開始と警備の解除を切り換えるように構成された操作ボックスを用いた場合にも本発明を同様にして適用することができる。
【図面の簡単な説明】
【００２８】
【図１】本発明の実施の形態の一例を示す概略システム図。
【図２】図１の操作ボックスの詳細図。
【図３】図１の送信機の制御部の構成を説明するための図。
【図４】図１の送信機で実行される警備制御プログラムの一部の機能を示すフローチャート。
【符号の説明】
【００２９】
１    機械警備装置
２    警備対象施設
３    警備対象区域
４−１    センサ
４−２    センサ
５    送信機
６    操作ボックス
７    磁気カード
６１    液晶表示パネル
６２    警備解除ボタン
６３    警備開始ボタン
６４    カード読取機
５１    制御ユニット
５１Ａ    モード記憶部
５１Ｂ    発報履歴記憶部
５１Ｃ    バッファメモリ
５１Ｄ    データメモリ
【図１】
2007279997.tif 000003
【図２】
2007279997.tif 000004
【図３】
2007279997.tif 000005
【図４】
2007279997.tif 000006